(57)【要約】【課題】ＭＦＰ等の画像処理装置で管理されている管理対象デバイスの管理情報をＰＣ等の端末装置からダウンロードして表示するような場合に、ネットワークの負荷を軽減し、前記端末装置の側での管理情報の表示を迅速に行うことが可能な画像処理装置を提供する。【解決手段】画像処理装置で管理されているＸＭＬ形式の管理情報をいくつかの分類に応じて分割しておいたり、当該管理情報を表示する際のＸＳＬＴ形式のスタイルシートを分割しておき、一度に全てをダウンロードするのではなく、必要に応じてダウンロードする。【選択図】          図２
2004326141.tif 000002
【特許請求の範囲】
【請求項１】
管理対象デバイスに関する管理情報データをＸＭＬ形式で記憶し、端末装置からの要求に応じて前記ＸＭＬ形式の管理情報データを送信する画像処理装置において、
前記管理情報データを、複数の分類に分けてＸＭＬ形式で格納するＸＭＬ格納手段と、
前記複数の分類に含まれる第１の分類に属する管理情報を表示するためのスタイルシートをＸＳＬＴ形式で格納する第１のＸＳＬＴ格納手段と、
前記複数の分類に含まれる第２の分類に属する管理情報を表示するためのスタイルシートをＸＳＬＴ形式で格納する第２のＸＳＬＴ格納手段と、
端末装置から、前記第１の分類に属する管理情報を表示させる要求を受けた場合に、前記ＸＭＬ格納手段に格納されている管理情報と、前記第１のＸＳＬＴ格納手段に格納されているスタイルシートとを送信する第１の送信手段と、
端末装置から、前記第２の分類に属する管理情報を表示させる要求を受けた場合に、前記第２のＸＳＬＴ格納手段に格納されているスタイルシートを送信する第２の送信手段とを備える
ことを特徴とする画像処理装置。
【請求項２】
管理対象デバイスに関する管理情報データをＸＭＬ形式で記憶し、端末装置からの要求に応じて前記ＸＭＬ形式の管理情報データを送信する画像処理装置において、
前記管理情報データを、少なくとも第１の分類と第２の分類とを含む複数の分類ごとにファイルを分けてＸＭＬ形式で格納するＸＭＬ格納手段と、
前記ＸＭＬ格納手段に格納されている管理情報データに対応する、少なくとも一のスタイルシートをＸＳＬＴ形式で格納するＸＳＬＴ格納手段と、
端末装置から、第１の分類の管理情報を表示させる要求を受けた場合に、前記ＸＭＬ格納手段に格納されている複数のファイルから、第１の分類の管理情報を含むＸＭＬファイルを選択する選択手段と、
前記選択手段により選択されたＸＭＬファイルと、前記ＸＳＬＴ格納手段に格納されているスタイルシートの中で前記選択されたＸＭＬファイルに対応するスタイルシートとを送信する第１の送信手段と、
端末装置から、第２の分類の管理情報を表示させる要求を受けた場合に、前記ＸＭＬ格納手段に格納されている第２の分類の管理情報を含むＸＭＬファイルを送信する第２の送信手段とを備える
ことを特徴とする画像処理装置。
【請求項３】
前記第２の送信手段は、
前記第２の分類の管理情報を含むＸＭＬファイルとともに、前記ＸＳＬＴ格納手段に格納されたスタイルシートの中で当該ＸＭＬファイルに対応するスタイルシートを送信する
ことを特徴とする請求項２に記載の画像処理装置。
【請求項４】
前記画像処理装置はさらに、
端末装置から管理情報データの送信要求を受けた場合に、自機の状況を判別する状況判別手段と、
前記状況判別手段により、自機に異常が生じている旨が判別された場合に、前記端末装置に対し、当該異常を示すメッセージを送信する第３の送信手段とを備える
ことを特徴とする請求項１から３のいずれかに記載の画像処理装置。
【請求項５】
請求項１から４のいずれかに記載の画像処理装置において動作するプログラムであって、
前記請求項１から４のいずれかに記載の画像処理装置に備えられた機能を前記画像処理装置に実現させる
ことを特徴とするプログラム。
【発明の詳細な説明】
【０００１】
【発明の属する技術分野】
本発明は、管理対象デバイスに関する管理情報データを管理する機能を有する画像処理装置及びプログラムに関する。
【０００２】
【従来の技術】
最近、画像形成装置や画像読取装置、あるいはデジタル複合機（ＭＦＰ）等の各種デバイスに関する管理情報をインターネット等のネットワークを介して送信し、管理サーバとしての役割を有する画像処理装置で集中管理するようなデバイス管理システムが開発されている。このようなデバイス管理システムでは、従来管理情報をＨＴＭＬ（ハイパー・テキスト・マークアップ・ランゲージ）形式で管理することが多かったが、近年、ＨＴＭＬの拡張版であるＸＭＬ（エクステンシブ・マークアップ・ランゲージ）が実用に供されるようになっている。
【０００３】
ＸＭＬを用いたデバイス管理システムとしては、ＸＭＬ形式の管理情報データや、管理情報データを表示するためのスタイルシート言語であるＸＳＬＴ（エクステンシブ・スタイルシート・ランゲージ・トランスフォーム）形式のスタイルシートを、それぞれ単一のファイルに格納しており、管理サーバとしての画像処理装置に格納されている管理情報データを端末装置からダウンロードして、端末装置側で表示しようとする場合、ＸＭＬ全体を含む一ファイルと、ＸＳＬＴ全体を含む一ファイルとを両方一時にダウンロードして表示することが考えられた。
【０００４】
【特許文献１】
特開２００１−３４６１９号公報
【０００５】
【特許文献２】
特開２００２−１０８８４４号公報
【０００６】
【特許文献３】
特開２００２−１１７０２０号公報
【０００７】
【発明が解決しようとする課題】
しかしながら、ネットワークに接続された管理対象デバイスの増加により管理情報データの量や種類が増加すると、その表示に用いるＸＳＬＴ形式のスタイルシートのデータ量も膨大なものとなる。そのような場合、管理情報データ全体を格納したＸＭＬ形式のファイルと、スタイルシート全部を格納したＸＳＬＴファイルを全てダウンロードしたのではネットワークの負荷となり、また、端末装置側で管理情報を表示するのにも時間がかかるという問題点があった。
【０００８】
本発明は、上記のような問題点に鑑みてなされたものであって、ネットワークの負荷を軽減し、端末装置側での管理情報の表示を迅速に行うことが可能な画像処理装置及びプログラムを提供することを目的としている。
【０００９】
【課題を解決するための手段】
上記目的を達成するために、本発明に係る第１の画像処理装置は、管理対象デバイスに関する管理情報データをＸＭＬ形式で記憶し、端末装置からの要求に応じて前記ＸＭＬ形式の管理情報データを送信する画像処理装置において、前記管理情報データを、複数の分類に分けてＸＭＬ形式で格納するＸＭＬ格納手段と、前記複数の分類に含まれる第１の分類に属する管理情報を表示するためのスタイルシートをＸＳＬＴ形式で格納する第１のＸＳＬＴ格納手段と、前記複数の分類に含まれる第２の分類に属する管理情報を表示するためのスタイルシートをＸＳＬＴ形式で格納する第２のＸＳＬＴ格納手段と、端末装置から、前記第１の分類に属する管理情報を表示させる要求を受けた場合に、前記ＸＭＬ格納手段に格納されている管理情報と、前記第１のＸＳＬＴ格納手段に格納されているスタイルシートとを送信する第１の送信手段と、端末装置から、前記第２の分類に属する管理情報を表示させる要求を受けた場合に、前記第２のＸＳＬＴ格納手段に格納されているスタイルシートを送信する第２の送信手段とを備えることを特徴としている。
【００１０】
この構成によれば、ＸＳＬＴ形式のスタイルシートを分割しておき、必要に応じて端末装置からダウンロードすることができるので、一度に全てのスタイルシートを送信する必要がなく、ネットワークの負荷を軽減することができ、端末装置側での表示を迅速にすることができる。
また、本発明に係る第２の画像処理装置は、管理対象デバイスに関する管理情報データをＸＭＬ形式で記憶し、端末装置からの要求に応じて前記ＸＭＬ形式の管理情報データを送信する画像処理装置において、前記管理情報データを、少なくとも第１の分類と第２の分類とを含む複数の分類ごとにファイルを分けてＸＭＬ形式で格納するＸＭＬ格納手段と、前記ＸＭＬ格納手段に格納されている管理情報データに対応する、少なくとも一のスタイルシートをＸＳＬＴ形式で格納するＸＳＬＴ格納手段と、端末装置から、第１の分類の管理情報を表示させる要求を受けた場合に、前記ＸＭＬ格納手段に格納されている複数のファイルから、第１の分類の管理情報を含むＸＭＬファイルを選択する選択手段と、前記選択手段により選択されたＸＭＬファイルと、前記ＸＳＬＴ格納手段に格納されているスタイルシートの中で前記選択されたＸＭＬファイルに対応するスタイルシートとを送信する第１の送信手段と、端末装置から、第２の分類の管理情報を表示させる要求を受けた場合に、前記ＸＭＬ格納手段に格納されている第２の分類の管理情報を含むＸＭＬファイルを送信する第２の送信手段とを備えることを特徴としている。
【００１１】
この構成では、ＸＭＬ形式の管理情報データを分類ごとに分割しておき、必要に応じて端末装置からダウンロードすることができるので、一度に全ての管理情報データを送信する必要がなく、ネットワークの負荷を軽減することができ、端末装置側での表示を迅速にすることができる。なお、前記第１の分類及び第２の分類手法としては、管理情報の更新頻度の大小による分類、管理情報の使用頻度の大小による分類、管理情報に対応する機種ごとの分類などが考えられる。
【００１２】
なお、前記第２の送信手段は、前記第２の分類の管理情報を含むＸＭＬファイルとともに、前記ＸＳＬＴ格納手段に格納されたスタイルシートの中で当該ＸＭＬファイルに対応するスタイルシートを送信することができる。このようにすると、ＸＭＬ形式の管理情報データ及びＸＳＬＴ形式のスタイルシートのいずれも分割されることとなり、ネットワークの負荷をさらに軽減できる。
【００１３】
また、前記画像処理装置はさらに、端末装置から管理情報データの送信要求を受けた場合に、自機の状況を判別する状況判別手段と、前記状況判別手段により、自機に異常が生じている旨が判別された場合に、前記端末装置に対し、当該異常を示すメッセージを送信する第３の送信手段とを備えることが好ましい。この構成によれば、例えば管理情報データの内容の不整合などが発生した場合に、その旨のメッセージを送信することができるなど、実用性を増すことができる。
【００１４】
本発明に係るプログラムは、画像処理装置において動作するプログラムであって、前記本発明に係る画像処理装置の機能を当該画像処理装置に実現させることを特徴としている。
【００１５】
【発明の実施の形態】
以下、本発明に係る画像処理装置及びプログラムの実施の形態について、図面を参照しながら説明する。
（実施の形態１）
（１）デバイス管理システムの全体構成
図１は、本発明に係る画像処理装置の一例としてのデジタル複合機（ＭＦＰ）１００を含むデバイス管理システムの構成の一例を示す図である。本実施の形態では、デバイス管理システムは、例えばプリンタ３００等の管理対象デバイスから送信されてきた管理情報データを管理するサーバとしての役割を有するＭＦＰ１００と、ＭＦＰ１００から管理情報データをダウンロードして表示する端末装置としてのＰＣ２００とがＬＡＮ（ローカル・エリア・ネットワーク）５００に接続されて構成されている。なお、管理対象デバイスは必ずしもＬＡＮ５００に接続されている必要はなく、インターネットを介して接続された装置でもよい。
【００１６】
ＭＦＰ１００は、ＬＡＮ５００に接続された各種の画像処理装置（特に図示はしないが）、具体的には、プリンタ、画像読取装置などの管理対象デバイスから管理情報データを受信することができる。管理情報データの例としては、例えば用紙切れ、トナー切れ等のステータスを示すデータ、プリントジョブの管理データの他、各機種でサポートしている機能に関する情報（例えば利用可能なフォントなど）等がある。より具体的な管理情報の内容については、本実施の形態における管理手法の説明とともに後に詳細に説明する。
【００１７】
（２）ＭＦＰ１００の構成
前記したように、ＭＦＰ１００はデバイス管理情報の管理サーバとしての役割を果たす。以下、ＭＦＰ１００の中で管理サーバとして動作する部分の構成について説明する。なお、ＭＦＰ１００は、画像読取装置、複写機、プリンタ等としての機能も有するが、それらの機能を実現する構成については公知のものであるから詳細な説明を省略する。
【００１８】
図２は、本実施の形態におけるＭＦＰ１００の構成を示す機能ブロック図である。ＭＦＰ１００は、通信ＩＦ（インタフェース）部１１０、制御部１２０、管理情報記憶部１３０、ＸＳＬＴファイル記憶部１５０を含んでいる。通信ＩＦ部１１０は、ＬＡＮ５００を介した通信制御を行う部分であり、具体的には例えばＮＩＣ（ネットワーク・インタフェース・カード）を用いることができる。
【００１９】
制御部１２０は、主としてＣＰＵにより構成され、外部からの要求に従って、外部から送信されてきた管理情報のＸＭＬ形式での追加、書き換え、削除等（以下、これらを合わせて「更新」という。）、管理情報の外部への送信制御、ＸＭＬ形式の管理情報の表示に用いるスタイルシート言語であるＸＳＬＴの外部への送信等の制御を行う。
【００２０】
管理情報記憶部１３０にはＸＭＬ形式の管理情報が記憶される。ＸＳＬＴファイル記憶部１５０には管理情報をＰＣ２００の表示画面に表示する際に用いるＸＳＬＴ（ＸＳＬトランスフォーム）形式のスタイルシートが格納される。なお、管理情報記憶部１３０及びＸＳＬＴファイル記憶部１５０は物理的に同一の記憶装置（例えばハードディスクドライブ）を用いてもよい。
【００２１】
本実施の形態のＭＦＰ１００は、ＰＣ２００からの要求に応じて管理情報記憶部１３０に記憶されているＸＭＬ形式の管理情報、及びＸＳＬＴファイル記憶部１５０に記憶されているＸＳＬＴ形式のスタイルシートをＰＣ２００に送信する。ＰＣ２００に最初に送信されるＸＭＬファイルには、通常当該ＸＭＬファイルに対応するＸＳＬＴ形式のスタイルシートのファイル名が記述され、対応付けられている。ＸＭＬ形式のファイルは、対応するＸＳＬＴの内容を参照してＰＣ２００の側でＨＴＭＬ（ハイパーテキスト・マークアップ・ランゲージ）形式に変換され、通常ブラウザと称されるアプリケーションによりディスプレイ装置等の表示手段に表示される。
【００２２】
制御部１２０は、機能的に受信解析部１２０１、管理情報更新部１２０２、管理情報取出部１２０３、ＸＳＬＴファイル取出部１２０４、送信制御部１２０５を含んでいる。受信解析部１２０１は、ＬＡＮ５００を介して外部から送信されてきた信号の内容を解析して、管理情報更新部１２０２、若しくは管理情報取出部１２０３に渡す。
【００２３】
具体的には、外部の管理対象デバイスから管理情報が送信されてきた場合には、管理情報更新部１２０２に渡す。管理情報更新部１２０２は、受信した管理情報の内容に従って、管理情報記憶部１３０の内容を更新する。一方、外部から受信した信号がＸＭＬ形式の管理情報をダウンロードする旨の要求である場合や、表示形式の変更（スタイルシートとして用いるＸＳＬＴの変更）である場合には、管理情報取出部１２０３に渡す。管理情報取出部１２０３は、ダウンロードの要求に対しては、管理情報記憶部１３０からＸＭＬ形式の管理情報を取出すと共に、対応するＸＳＬＴファイルの名称をＸＳＬＴファイル取出部１２０４に送る。ＸＳＬＴファイル取出部１２０４は、ＸＳＬＴファイル記憶部１５０に記憶されているスタイルシートの中から、送信されるＸＭＬファイルと対応するものを取出し、送信する。
【００２４】
受信した信号が、スタイルシートの変更を指示するものであった場合には、受信解析部１２０１は、送信されてきた変更後のスタイルシートのファイル名をＸＳＬＴファイル取出部１２０４へ送る。ＸＳＬＴファイル取出部１２０４は、ＸＳＬＴファイル記憶部１５０から変更後のスタイルシートを取り出しＰＣ２００へ送信する。
【００２５】
（３）ＭＦＰ１００の制御部１２０の処理内容
図３は、以上に説明したような制御部１２０の処理内容について説明するためのフローチャートである。同図に示されたように、制御部１２０では、まず受信解析部１２０１により、外部から受信した信号の解析処理が実行され（Ｓ１０１）、受信した情報が管理情報であった場合には（Ｓ１０２：ＹＥＳ）、管理情報更新部１２０２により、管理情報記憶部１３０に格納されたＸＭＬ形式の管理情報が更新される（Ｓ１０３）。ＸＭＬ形式のファイルの内容の更新処理は公知であるから、ここでの詳細な説明は省略する。
【００２６】
受信した情報がＰＣ２００等の外部の端末装置からのダウンロード処理であった場合には（Ｓ１０２：ＮＯ、Ｓ１０４：ＹＥＳ）、管理情報取出部１２０３が管理情報記憶部１３０からＸＭＬ形式の管理情報を取出し、ＸＳＬＴファイル取出部１２０４がＸＳＬＴファイル記憶部１５０からスタイルシートを取出して、送信制御部１２０５、通信ＩＦ部１１０を介して外部へ送信する（Ｓ１０５）。
【００２７】
外部から受信した信号が表示切替指示（スタイルシートの切替指示）であった場合には（Ｓ１０４：ＮＯ、Ｓ１０６：ＹＥＳ）、ＸＳＬＴファイル取出部１２０４が、ＸＳＬＴファイル記憶部１５０から切替用のスタイルシートを取出して送信する（Ｓ１０７）。
（４）ＰＣ２００に表示される画面の一例
ここで、上記に説明したような処理を行うことにより実現される具体的な処理の一例について説明する。図４は、ＰＣ２００の表示部に表示される画面の一例を示す図である。同図の例では、管理情報記憶部１３０に記憶されている管理情報の例として、▲１▼ＭＦＰ１００にて記録紙が格納されるトレイの番号と用紙サイズとの対応関係（図４（ａ）メニュー１）、▲２▼ユーザの名称、電話番号、及びＥメールアドレス（図４（ｂ）メニュー２）を、スタイルシートを切り替えて表示する場合について説明する。なお、管理情報記憶部１３０には、ＸＭＬ形式の管理情報として、図５に示されるような情報が記憶されているものとする。
【００２８】
図６は、切り替え前のスタイルシートとして、図４（ａ）に示されるような画面を表示させるスタイルシートの一例を切り替えを実現するＸＳＬＴ形式のスタイルシートの一例を示す図である。なお、図６のスタイルシートのファイル名は、図５の具体例の２行目に記述されているように、“ＭＥＮＵ１．ＸＳＬ”である。
【００２９】
図６の例では、「メニュー２」のボタンが押された場合に関数「ＳＥＴ」が実行されるように規定されており、関数「ＳＥＴ」の中の図中「▲１▼」で示される行で、切り替え後のスタイルシート（ファイル名＝“ＭＥＮＵ２．ＸＳＬ”）がロードされるようになっている。図７は、切り替え後のスタイルシートのファイルの内容を示すものであり、この切り替え後スタイルシートが図５に示したＸＭＬ形式の管理情報と合成されて図４（ｂ）の画面が表示される。
【００３０】
（５）ＰＣ２００の処理内容
以上に説明したようにスタイルシートの切り替えを行う際のＰＣ２００の処理内容について説明する。図８は、ＰＣ２００の側で、ブラウザを起動した後に行われる処理内容の一例を示すフローチャートである。同図に示されるように、まずＰＣ２００でＵＲＬ（ユニフォーム・リソース・ロケータ）の入力を受け付けると（Ｓ２０１：ＹＥＳ）、ＰＣ２００で表示すべき管理情報を含むＸＭＬ形式のファイル及びＸＳＬＴ形式のスタイルシートをダウンロードして（Ｓ２０２）、ブラウザに表示する（Ｓ２０３）。
【００３１】
その後、表示切替の指示（図４の例では「メニュー２」ボタンのクリック）があった場合に（Ｓ２０４：ＹＥＳ）、切り替え後のＸＳＬＴ（図４の例では、“ＭＥＮＵ２．ＸＳＬ”）をダウンロードして（Ｓ２０５）、既に送信されているＸＭＬと合成し（Ｓ２０６）、ブラウザに表示する（Ｓ２０３）。
以上に説明したように、本実施の形態では、ＸＳＬＴ形式のスタイルシートを複数に分割しておき、表示切替の指示を待ってダウンロードするので、一度に大量のスタイルシートをダウンロードする必要がなく、ネットワークの負荷を軽減し、迅速な表示切替を行うことができる。
【００３２】
（実施の形態２）
次に本発明の第２の実施の形態について説明する。上記第１の実施の形態では、単一のＸＭＬファイルについて複数のＸＳＬＴスタイルシートを用いることにより表示を切り替える場合の例を示したが、本実施の形態では、ＸＭＬ形式の管理情報を複数のファイルに分割して管理する場合について説明する。なお、本実施の形態のネットワークシステムも図１に示したものと同様のものを考えることができるが、ＭＦＰ１００やＰＣ２００での処理内容が異なっているので、以下、異なっている部分を中心にして説明する。
【００３３】
（１）ＭＦＰ１００の構成
本実施の形態でも、ＭＦＰ１００はデバイス管理情報の管理サーバとしての役割を果たす。以下、本実施の形態のＭＦＰ１００の中で管理サーバとして動作する部分の構成について説明する。
図９は、本実施の形態のＭＦＰ１００の構成を示す機能ブロック図である。本実施の形態のＭＦＰ１００は、第１管理情報記憶部１３０に加えて第２管理情報記憶部１４０を備えている点、管理情報更新部１２０２が、第１管理情報記憶部１３０及び第２管理情報記憶部１４０に分割されて記憶されている管理情報を更新する点等が第１の実施の形態と異なっている。ＸＭＬ形式の管理情報を所定の条件に従って複数ファイルに分けて管理する点が本実施の形態の特徴である。なお、第２管理情報記憶部１４０を、第１管理情報記憶部１３０等と物理的に同一の記憶装置（例えばハードディスクドライブ）を用いてもよい点は第１の実施の形態と同様である。
【００３４】
制御部１２０は、第１の実施の形態と同様に、受信解析部１２０１、管理情報更新部１２０２、管理情報取出部１２０３、ＸＳＬＴファイル取出部１２０４、送信制御部１２０５を含んでいる。本実施の形態では、管理情報更新部１２０２は、受信した管理情報の内容に従って、第１管理情報記憶部１３０、若しくは第２管理情報記憶部１４０の内容を更新する。
【００３５】
外部から受信した信号がＸＭＬ形式の管理情報をダウンロードする旨の要求である場合には、管理情報取出部１２０３に渡す。管理情報取出部１２０３は、第１管理情報記憶部１３０、若しくは第２管理情報記憶部１４０からＸＭＬ形式の管理情報を取出し、送信制御部１２０５を介して外部に送信することになる。なお、管理情報取出部１２０３が取り出すＸＭＬ形式の管理情報ファイルの中には、対応するＸＳＬＴのファイル名が記述されている。従って、記述されたファイル名に従って、ＸＳＬＴファイル取出部１２０４が、ＸＳＬＴファイル記憶部１５０から対応したスタイルシートを取り出し、ＰＣ２００に送信することができる。
【００３６】
（２）スタイルシートの具体例
次に本実施の形態のスタイルシートの具体例について説明する。図１０は、本実施の形態のように分割されたＸＭＬ形式のファイルを表示する際のＸＳＬＴ形式のスタイルシートの一例を示す図である。なお、図１１は、図１０のスタイルシートにより実現される表示画面を示す図であり、図１２に分割されたＸＭＬ形式の管理情報の内容が示されている。
【００３７】
本具体例では、ＸＭＬ形式の管理情報として、▲１▼設定されている用紙サイズ及び解像度を示すファイル（ファイル名＝“ＳＥＴＰＡＲＭ．ＸＭＬ”、図１２（ａ）参照）、▲２▼設定可能な用紙サイズ及び解像度（ファイル名＝“ＰＡＲＡＭＥＴＥＲ．ＸＭＬ”、図１２（ｂ）参照）、の二つのファイルに分割している。そして、リスト画面の表示の際など、必要な場合にのみＰＡＲＡＭＥＴＥＲ．ＸＭＬをダウンロードすることによって、ネットワークの負荷を軽減できる。
【００３８】
（３）ＭＦＰ１００での管理情報の格納方法
ここで、第１管理情報記憶部１３０、及び第２管理情報記憶部１４０に、それぞれどのような管理情報を記憶するか、管理情報の分割手法について説明する。
（３−１）表示頻度による分類
管理情報の分類の第１の手法として、ＰＣ２００等の端末装置側で表示する頻度で分類する方法が考えられる。表示される機会のほとんどないような管理情報は指示を受けた場合にのみダウンロードし、頻繁に表示される管理情報を例えば最初にダウンロードしておくおようにすれば、全てを一度にダウンロードする場合と比較して、ネットワークの負荷を軽減することができると同時に、頻繁に表示される管理情報の表示を迅速にすることができる。
【００３９】
なお、表示頻度の少ない管理情報の例として、プリンタでサポートしているフォントの情報（図１３参照）があり、表示頻度の多い管理情報の例として、プリント時の用紙トレイの初期値など、通常プリント等しようとする場合に必ず表示されるような情報や、他の用紙トレイに関する情報、対応している解像度の種類など、プリント条件の切り替えの際に表示される情報などが挙げられる。
【００４０】
（３−２）更新頻度による分類
管理情報分類の第２の手法として、管理情報の更新頻度で分類する方法がある。管理情報の中には、前記したようなプリンタでサポートしているフォントの種類など、一度設定すればほとんど更新されないデータと、プリントジョブの履歴情報など、極めて頻繁に更新されるデータとが存在する。
【００４１】
図１４に更新頻度で分類した場合の例を示す。
図１４（ａ）は、ＭＦＰで設定されている状態を示す情報であり、比較的更新頻度が高いものである。一方、図１４（ｂ）は、各機種で共通して利用される設定値の種類を格納したものであり（設定状態はＯＮ若しくはＯＦＦである旨を表す）、ほとんど更新されることはない。
【００４２】
なお、その他、更新頻度の高い管理情報の例として、各管理対象デバイスのステータス情報（紙切れ、インク切れ等のエラー情報も含む。）、プリントジョブに関する情報（ファイル名、受信時刻等の履歴情報）がある。管理対象デバイスのステータス情報は、その部分だけを自動更新することも考えられ、別ファイルとして管理しておけばサーバの処理が簡単になる等の利点があり、プリントジョブに関しては、プリントジョブの履歴管理を行う場合に、別ファイルとして管理しておくことで、別のアプリケーションで利用しやすくなる等の利点がある。
【００４３】
（３−３）その他の分類
その他の分類方法として、機種ごとに分類する場合がある。図１５は、機種ごとに異なる管理情報の例であり、例えば設定可能な解像度、ファイルフォーマット等を機種ごとに異なるファイルで記憶することが考えられる。
（４）ＰＣ２００の処理内容
次に、本実施の形態におけるＰＣ２００の処理内容について説明する。図１６は、ＰＣ２００の処理内容を示すフローチャートである。本実施の形態では、切り替えの指示があった場合に（Ｓ３０４：ＹＥＳ）、必要なＸＭＬファイルをダウンロードして（Ｓ３０５）、ブラウザに表示させる点が第１の実施の形態と異なっている。
【００４４】
以上に説明したように、ＸＭＬ形式の管理情報を分類して別ファイルとすることによっても、ネットワークの負荷を軽減することができる。
なお、本発明に係る画像処理装置や端末装置を実現させるプログラムは、例えば磁気テープ、フレキシブルディスク等の磁気ディスク、ＤＶＤ、ＣＤ−ＲＯＭ、ＣＤ−Ｒ、ＭＯ、ＰＤなどの光記録媒体、Ｓｍａｒｔ  Ｍｅｄｉａ（登録商標）、ＣＯＭＰＡＣＴＦＬＡＳＨ（登録商標）などのフラッシュメモリ系記録媒体等、コンピュータ読み取り可能な各種記録媒体に記録することが可能であり、当該記録媒体の形態で生産、譲渡等がなされる場合もあるし、プログラムの形態で、インターネットを含む有線、無線の各種ネットワーク、放送、電気通信回線、衛星通信等を介して伝送、供給される場合もある。
【００４５】
また、本発明に係るプログラムは、上記に説明した処理をコンピュータに実行させるための全てのモジュールを含んでいる必要はなく、例えば通信プログラムや、オペレーティングシステム（ＯＳ）に含まれるプログラムなど、別途情報処理装置にインストールすることができる各種汎用的なプログラムを利用して、本発明の各処理をコンピュータに実行させるようにしてもよい。従って、上記した本発明の記録媒体に必ずしも前記全てのモジュールを記録している必要はないし、また、必ずしも全てのモジュールを伝送する必要もない。さらに所定の処理を専用ハードウェアを利用して実行させるようにすることができる場合もある。
【００４６】
＜変形例＞
以上、本発明を種々の実施の形態に基づいて説明してきたが、本発明の内容が、上記実施の形態に示された具体例に限定されないことは勿論であり、例えば、以下のような変形例を考えることができる。
（１）即ち、上記実施の形態では、デバイス管理サーバとしての役割をＭＦＰに備えるようにしたが、ＭＦＰに限定されず、プリンタやスキャナ等の各種画像処理装置に備えることもできる。
【００４７】
（２）また、上記実施の形態では、ＰＣ２００の側でＸＭＬ形式のデータとＸＳＬＴ形式のスタイルシートとの合成（例えばＨＴＭＬ形式への変更）を行うようにしたが、この合成処理はデバイス管理サーバの側で実行することもできる。
（３）上記実施の形態では説明を省略したが、ＰＣ２００等の端末装置からダウンロード指示を受けた場合に、ＭＦＰ１００等の画像処理装置の側でトラブルが発生していることも考えられる（例えば管理情報データの不整合の発生など）。そのような場合には、その旨を示すメッセージを端末装置に送信するようにしてもよい。
【００４８】
（４）なお、上記した本発明の実施の形態には、特許請求の範囲の請求項１〜５に記載した発明以外にも、以下の付記１〜３に示すような発明が含まれる。
［付記１］  前記第１の分類及び第２の分類は、管理情報の更新頻度の大小による分類であることを特徴とする請求項２に記載の画像処理装置。
［付記２］  前記第１の分類及び第２の分類は、管理情報の使用頻度の大小による分類であることを特徴とする請求項２に記載の画像処理装置。
【００４９】
［付記３］  前記第１の分類及び第２の分類は、管理情報に対応する機種ごとの分類であることを特徴とする請求項２に記載の画像処理装置。
【００５０】
【発明の効果】
以上のように、本発明に係る画像処理装置によれば、ＸＭＬ形式の管理情報やＸＳＬＴ形式のスタイルシートを分割し、必要に応じて送信するようにしているので、ネットワークの負荷を軽減し、端末装置側で迅速な表示を実現することができるという効果がある。
【図面の簡単な説明】
【図１】本発明に係る画像処理装置の一例としてのデジタル複合機（ＭＦＰ）を含むデバイス管理システムの構成の一例を示す図である。
【図２】本発明の第１の実施の形態におけるＭＦＰ１００の構成を示す機能ブロック図である。
【図３】第１の実施の形態における制御部１２０の処理内容について説明するためのフローチャートである。
【図４】第１の実施の形態においてＰＣ２００の表示部に表示される画面の例を示す図である。
【図５】管理情報記憶部１３０に記憶されるＸＭＬ形式の管理情報の内容の一例を示す図である。
【図６】切り替え前のスタイルシートとして、図４（ａ）に示されるような画面を表示させるスタイルシートの例を示す図である
【図７】切り替え後のスタイルシートの内容の一例を示す図である。
【図８】第１の実施の形態において、ＰＣ２００の側でブラウザを起動した後に行われる処理内容の一例を示すフローチャートである。
【図９】第２の実施の形態におけるＭＦＰ１００の構成を示す機能ブロック図である。
【図１０】分割されたＸＭＬ形式のファイルを表示する際のＸＳＬＴ形式のスタイルシートの一例を示す図である。
【図１１】図１０のスタイルシートにより実現される表示画面を示す図である。
【図１２】分割されたＸＭＬ形式の管理情報の内容の一例を示す図である。
【図１３】プリンタでサポートしているフォントの情報をＸＭＬ形式で表した内容の一例を示す図である。
【図１４】管理情報を更新頻度で分類した場合の内容の一例を示す図である。
【図１５】機種ごとに異なる管理情報の内容の一例を示す図である。
【図１６】第２の実施の形態において、ＰＣ２００の側でブラウザを起動した後に行われる処理内容の一例を示すフローチャートである。
【符号の説明】
１００                ＭＦＰ
１１０                通信ＩＦ部
１２０                制御部
１２０１              受信解析部
１２０２              管理情報更新部
１２０３              管理情報取出部
１２０４              ＸＳＬＴファイル取出部
１２０５              送信制御部
１３０                第１管理情報記憶部
１４０                第２管理情報記憶部
１５０                ＸＳＬＴファイル記憶部
２００                ＰＣ
５００                ＬＡＮ
【図１】
2004326141.tif 000003
【図２】
2004326141.tif 000004
【図３】
2004326141.tif 000005
【図４】
2004326141.tif 000006
【図５】
2004326141.tif 000007
【図６】
2004326141.tif 000008
【図７】
2004326141.tif 000009
【図８】
2004326141.tif 000010
【図９】
2004326141.tif 000011
【図１０】
2004326141.tif 000012
【図１１】
2004326141.tif 000013
【図１２】
2004326141.tif 000014
【図１３】
2004326141.tif 000015
【図１４】
2004326141.tif 000016
【図１５】
2004326141.tif 000017
【図１６】
2004326141.tif 000018